(57)【要約】【課題】アコースティックギター系弦楽器を軽量化、音色改善すると共に、音色の調整が容易にできるようにする。【解決手段】透孔１１，１１ａ〜１１ｅが開設された力木５ａ，５ｂ，６ａ，６ｂ，１８を胴体の表板１の内側面および／または裏板２の内側面に貼着する。また、その力木に開設する透孔の大きさ、形状、または数を変えることにより、アコースティックギター系弦楽器から奏される音色を調整する。【選択図】図２
2008052054.tif 000002
【特許請求の範囲】
【請求項１】
透孔が開設された力木を胴体の表板の内側面および／または裏板の内側面に貼着してなることを特徴としたアコースティックギター系弦楽器。
【請求項２】
複数の透孔を力木の長手方向に亘って適宜間隔で開設したことを特徴とする請求項１に記載のアコースティックギター系弦楽器。
【請求項３】
力木に開設する透孔の大きさ、形状、または数を変えることにより音色を調整することを特徴としたアコースティックギター系弦楽器の音色調整方法。
【発明の詳細な説明】
【技術分野】
【０００１】
本発明は、クラシックギター，フォークギターのようなアコースティックギター系弦楽器に関し、詳しくはその胴体内に配設される力木に関するものである。
【背景技術】
【０００２】
ギターの胴体は、一般に表板の内側面や裏板の内側面に力木を接着剤により接着させて配設することにより補強され、弦の張力による変形を起こすことのないようにしている。また、この力木は、下記特許文献１、２等に示されたように、ギターの音響特性にも影響を与える重要な部材であることが知られている。
【特許文献１】特開平１１−８５１４３号公報
【特許文献２】特開２００１−２３６０５８号公報
【発明の開示】
【発明が解決しようとする課題】
【０００３】
ところで上記力木は、胴体を補強する観点からすると太径で頑強のものを縦横に多数本設けることが望ましいものの、そうすると、ギターの重量が重くなって演奏性を損ねるだけでなく、響きも悪くなり、ギターとしての好ましい音色が得られないおそれが生じるという問題があった。
従って、胴体を構成する木の材料や性質、或いは、ミュージシャンが要求する音色に応じて力木の太さや配置を決める必要があるが、個々のギターについてそのような調整をすることには多くの手間を要すると同時に特別な技巧を要するものであった。このため、コストが高くなる状況であった。
本発明は、このような従来のアコースティックギター系弦楽器の問題点を解決しようとするものである。
【課題を解決するための手段】
【０００４】
そのために本発明のアコースティックギター系弦楽器は、透孔が開設された力木を胴体の表板の内側面および／または裏板の内側面に貼着してなることを特徴とする。
また、本発明は上記アコースティックギター系弦楽器において、複数の透孔を力木の長手方向に亘って適宜間隔で開設したことを特徴とする。
また、本発明に係るアコースティックギター系弦楽器の音色調整方法は、力木に開設する透孔の大きさ、形状、または数を変えることにより音色を調整するものである。
【発明の効果】
【０００５】
本発明によれば、アコースティックギター系弦楽器を軽量化、音色改善する顕著な効果があると共に、音色調整が容易となるので、音色に対する個々のミュージシャンの要求に容易に応じられるようになる効果がある。
【発明を実施するための最良の形態】
【０００６】
次に本発明の実施形態を図面に従い説明する。図１は本発明に係るギターの胴体の縦断面図で、１はスプルース等の単板からなる表板、２はマホガニー等の単板からなる裏板、３は曲線状に湾曲した側板であり、表板１および裏板２の周囲が該側板３に継板部材４を介して接合することにより当該胴体が中空状に形成され、該胴体に棹（図示せず）を設けることによりギターが構成される。
【０００７】
表板１の内側面には、図２に示したように、長手棒状の力木５ａ，５ｂが中央でＸ字状に交差するように貼着されるほか、該力木の一側にこれより短い棒状の力木６ａ，６ｂが平行に貼着される。なお、力木５ａ，５ｂは、図３に分解斜視図を示したように、長手方向略中間部に互いに合致し得るＵ字形の切込７ａ，７ｂを形成することによりＸ字状に組み合わされるようにすると共に、両端部８ａ，９ａ，８ｂ，９ｂを薄手に削ることにより前記継板部材４に係合されるようにしている。そして、接着剤として膠を使用し、表板１の内面に貼着される。なお、１０は接着剤を塗って力木５ａ，５ｂの交点の上に貼付した布きれで、この布きれによって両力木５ａ，５ｂが強固に組み合わされるようにしている。
そして、これらの力木５ａ，５ｂおよび力木６ａ，６ｂに、複数の透孔１１が長手方向に亘って適宜間隔で開設することにより、該力木がその強度、剛性を損なうことなく軽量化されるようにしている。
【０００８】
また、１２は表板１に形成されたサウンドホール、１３は該サウンドホールの上部に貼着された力木、１４は該力木１３の上部で該力木と平行に貼着された薄手補強板、１５ａ〜１５ｃは該サウンドホールを囲うように貼着された薄手補強板、１６は表板１の弦取付部内面に貼着された補強板、１７はその他の短い力木である。
なお、裏板２の内側面にも図１に例示されるように力木１８が適宜貼着される。
【０００９】
このように本発明に係るギターは、力木５ａ，５ｂ，６ａ，６ｂに透孔１１を形成したことから、ギターの重さが軽くなるだけでなく、胴体内の音が該透孔１１を通して自由に伝播するので音の抜けが良くなり、音響的にも改善されたものとなる。
【００１０】
また、透孔１１の大きさや形状、或いは透孔１１を開設する間隔や開設する数を適宜調整することにより、柔らかい音や硬い音など、ミュージシャンの好みの音色が比較的容易に調整できるようになる。即ち、胴体の木の材質等により音色を調節するよりも簡単に響きが調節され好みの音色を得ることができる。
【００１１】
ちなみに、図４に示した力木は大きめの透孔１１ａと小さい透孔１１ｂとを交互に開設した例である。また、図５は楕円形の透孔１１ｃと透孔１１ｄを縦長と横長となるように交互に開設した例を示す。また、図６は上下方向交互に三角形の透孔１１ｅを形成することによりトラス状とし、開口率を上げても力木の曲げ強度が落ちないようにしたものである。
【産業上の利用可能性】
【００１２】
本発明は、クラシックギター，フォークギターは勿論、近年生産が増加している小型ギター、或いはウクレレのようなアコースティックギター系弦楽器に広く適用できる。
【図面の簡単な説明】
【００１３】
【図１】本発明に係るギターの胴体の縦断面図。
【図２】本発明に係るギターの表板の内面の斜視図。
【図３】本発明に係る力木の分解斜視図。
【図４】本発明に係る力木の他の実施形態を示す斜視図。
【図５】本発明に係る力木の他の実施形態を示す斜視図。
【図６】本発明に係る力木の他の実施形態を示す斜視図。
【符号の説明】
【００１４】
１                              表板
２                              裏板
３                              側板
５ａ，５ｂ，６ａ，６ｂ，１８    力木
１１，１１ａ〜１１ｅ            透孔
【図１】
2008052054.tif 000003
【図２】
2008052054.tif 000004
【図３】
2008052054.tif 000005
【図４】
2008052054.tif 000006
【図５】
2008052054.tif 000007
【図６】
2008052054.tif 000008